(57)【要約】      （修正有）【課題】硬貨による支払いをスムーズに行えるようにすることにより財布に硬貨が多量に溜まるのを防止できる長財布を提供する。【解決手段】かぶせ蓋タイプ、Ｌ字ファスナータイプ、ラウンドファスナータイプの長財布１を使用し、それら長財布１の２つの最外皮側面体間である長財布内部に硬貨収納部７を設ける。その硬貨収納部７は、側面形状が長財布１の側面形状より僅かに小さい長方形の袋で形成し、該袋の内部には長方形の袋の長手方向を３区分して３個の小硬貨収納部７ａ、７ｂ、７ｃを設ける。【選択図】図２
0003217416.tif 000002
【実用新案登録請求の範囲】
【請求項１】
かぶせ蓋タイプ、Ｌ字ファスナータイプ、ラウンドファスナータイプの何れかに属する長財布であって、
該長財布は２つの最外皮側面体間である長財布内部に硬貨収納部が設けてあり、
該硬貨収納部は側面形状が長財布の側面形状より僅かに小さい長方形の袋で形成され、
該袋の内部には長方形袋の長手方向を３区分して３個の小硬貨収納部が形成されていることを特徴とする長財布。
【請求項２】
請求項１に記載の長財布において、前記硬貨収納部は長財布の片側外皮側面体と内側に設けた袋側面体との間に形成されていることを特徴とする長財布。
【請求項３】
請求項１又は２に記載の長財布において、前記硬貨収納部内の３個の小硬貨収納部は隣り合う小硬貨収納部間に隔壁を設けて形成され、該隔壁は布、好ましくは弾性を有する布を用い、長財布を閉じた状態では高さの高い山折り又は谷折り状の形状になり、長財布を開いた状態では高さの低い山折り又は谷折り状に広がる形状になるように形成されていることを特徴とする長財布。
【請求項４】
請求項１乃至３の何れかに記載の長財布において、前記３個の小硬貨収納部が形成された前記硬貨収納部の硬貨投入開口にはファスナーが取り付けてあることを特徴とする長財布。
【考案の詳細な説明】
【技術分野】
【０００１】
本考案は流通している６種類の硬貨を、５００円硬貨と１００円硬貨、５０円硬貨と１０円硬貨、５円硬貨と１円硬貨の３種類の組み合わせに分別して収納できるように硬貨収納部を３個設けた長財布に関する。
【背景技術】
【０００２】
店で買い物をして金額が７７７円であった場合、その支払いには１０００円札を渡して２２３円のおつりを受け取る人が殆どであり、５００円硬貨１個と１００円硬貨２個、５０円硬貨１個と１０円硬貨２個、５円硬貨１個と１円硬貨２個で支払う人は稀である。しかし、２２３円のおつりは硬貨で受け取ることになるため、このような支払い方を繰り返していると財布が小銭硬貨で一杯になり、その処置に困ることになる。財布が小銭硬貨で膨れてきた場合には、次の支払いは硬貨だけで支払えばよいようにも思われる。しかし、その支払い額が、例えば７７７円であったような場合、６種類の硬貨が入り交じった財布から５００円硬貨１個、１００円硬貨２個、５０円硬貨１個、１０円硬貨２個、５円硬貨１個、１円硬貨２個を取り出して支払うことは非常に面倒であり時間もかかる。
【０００３】
このような場合に財布の中に硬貨収納部が３個設けてあって、第１の収納部には５００円硬貨と１００円硬貨、第２の収納部には５０円硬貨と１０円硬貨、第３の収納部には５円硬貨と１円硬貨というように分別して収納されていた場合には、これら収納部から７７７円の支払いに必要な５００円硬貨１個と１００円硬貨２個、５０円硬貨１個と１０円硬貨２個、５円硬貨１個と１円硬貨２個を取り出すことは、それ程面倒なことではない。このような支払い方を心掛ければ、財布の中に大量の硬貨が溜まることは避けられる。
【０００４】
従来技術の中にも硬貨収納部を複数設けた財布が提案されている。例えば、特許文献１には硬貨収納部を２個設けた財布が開示されている。また、特許文献２には、１００円、５０円、１０円、１円等の異種類の多数の硬貨を一連にして収納できるようにした硬貨収納枠体を有する財布が開示されている。しかし、この財布の場合は、大きさの異なる硬貨毎に収納する構造になっているため、流通している６種類の硬貨に対応するには硬貨収納枠体を６個も設けなければならない問題がある。
【先行技術文献】
【特許文献】
【０００５】
【特許文献１】特開２００６−３４０８８３号公報
【特許文献２】特開昭５２−１１２４７５号公報
【考案の開示】
【考案が解決しようとする課題】
【０００６】
本考案は、従来技術のこうした問題点を解決するためになされたもので、その課題は、硬貨による支払いをスムーズに行えるようにして財布に硬貨が溜まることを防止できる長財布を提供することにある。
【課題を解決するための手段】
【０００７】
前記課題を解決するための請求項１に記載の考案は、かぶせ蓋タイプ、Ｌ字ファスナータイプ、ラウンドファスナータイプの何れかに属する長財布であって、該長財布は２つの最外皮側面体間である長財布内部に硬貨収納部が設けてあり、該硬貨収納部は側面形状が長財布の側面形状より僅かに小さい長方形の袋で形成され、該袋の内部には長方形袋の長手方向を３区分して３個の小硬貨収納部が形成されていることを特徴とする長財布である。
【０００８】
このように３個の小硬貨収納部が設けてあると、流通している６種類の硬貨を、例えば５００円硬貨と１００円硬貨は小硬貨収納部７ａに、５０円硬貨と１０円硬貨は小硬貨収納部７ｂに、５円硬貨と１円硬貨は小硬貨収納部７ｃにという具合に分類して収納しておくことができる。このようにしておけば高額の支払いも硬貨でスムーズに行うことができるため、結果として財布に硬貨が多量に溜まるのを防止できる。
【０００９】
また、請求項２に記載の考案は、請求項１に記載の長財布において、前記硬貨収納部は長財布の片側外皮側面体と内側に設けた袋側面体との間に形成されていることを特徴とする長財布である。
【００１０】
このような構成の長財布は、請求項１に記載の長財布と同様の効果を奏する。
【００１１】
また、請求項３に記載の考案は、請求項１又は２に記載の長財布において、前記硬貨収納部内の３個の小硬貨収納部は隣り合う小硬貨収納部間に隔壁を設けて形成され、該隔壁は布、好ましくは弾性を有する布を用い、長財布を閉じた状態では高さの高い山折り又は谷折り状の形状になり、長財布を開いた状態では高さの低い山折り又は谷折り状に広がる形状になるように形成されていることを特徴とする長財布である。
【００１２】
このような構成の長財布は、請求項１に記載の長財布と同様の効果を奏する。
【００１３】
また、請求項４に記載の考案は、請求項１乃至３の何れかに記載の長財布において、前記３個の小硬貨収納部が形成された前記硬貨収納部の硬貨投入開口にはファスナーが取り付けてあることを特徴とする長財布である。
【００１４】
このような構成の長財布は、請求項１に記載の長財布と同様の効果を奏する。
【図面の簡単な説明】
【００１５】
【図１】第１の実施形態に係る長財布１の外観図である。
【図２】長財布１を開いて開口上方から見た平面図である。
【図３】図２のＡ−Ａ線に沿った断面図である。
【図４】第２の実施形態に係る長財布１ａを開いて開口上方から見た平面図である。
【図５】図４のＢ−Ｂ線に沿った断面図である。
【図６】第３の実施形態に係る長財布１ｂを開いて開口上方から見た平面図である。
【図７】図５のＣ−Ｃ線に沿った断面図である。
【考案を実施するための形態】
【００１６】
以下、本考案に係る長財布の構成例を実施形態に分けて説明する。本考案は長財布の２つの最外皮側面体間である長財布内部に設ける硬貨収納部の構造に特徴を有するものであり、その構造はかぶせ蓋タイプ、Ｌ字ファスナータイプ、ラウンドファスナータイプと呼ばれる長財布に共通する構造であるので、以下はかぶせ蓋タイプを例に説明する。
【００１７】
（第１の実施形態）
図１は、本実施形態に係るかぶせ蓋タイプの長財布１の外観図である。長財布１は２つの最外皮側面体２、３間に紙幣、硬貨、カード等を収納する細長袋形状の紙幣等収納部４が形成され、その開口部をかぶせ蓋５で覆う構造になっている。
【００１８】
図２はかぶせ蓋５を開け、長財布１の紙幣等収納部４の開口を大きく開かせた状態を開口上方から見た平面図、図３は図２のＡ−Ａ線に沿った断面図である。紙幣等収納部４の開口は略長方形で、その長手方向両端の短辺部は底部まで延びるジャバラ構造のジャバラ壁６で囲い、これにより紙幣、貨幣等が財布から落ちるのを防いでいる。短辺部がジャバラ構造になっているため、財布を開いた状態では開口の長辺壁間の間隔を手の操作でジャバラ壁６上部が伸びきった状態となるまで広げることができる。
【００１９】
本実施形態の長財布１では、２つの最外皮側面体２、３と左右のジャバラ壁６で囲まれた紙幣等収納部４内に硬貨収納部７を設けている。硬貨収納部７は革、布等の２枚の長方形シートの３辺端部を貼り合わせた長方形の袋状で、底部は長財布１の内底部に繋がり、開口は長財布１の開口側になっている。硬貨収納部と長財布１の２つの最外皮側面体２、３との間は札入れ８、カード入れ９になっている。
【００２０】
本実施形態の長財布１の特徴として、この硬貨収納部７は長方形袋の長手方向に２つの隔壁１０ａ、１０ｂを設けて３個の小硬貨収納部７ａ、７ｂ、７ｃに区分けしている。隔壁１０ａ、１０ｂには布、好ましくは弾性を有する布を使用しており、長財布１を閉じた状態では高さの高い山折り又は谷折り状になり、長財布１を開いた状態では高さの低い山折り又は谷折り状に広がるように形成されている。
【００２１】
（第２の実施形態）
図４は第２の実施形態に係る長財布１ａのかぶせ蓋５を開け、長財布１ａの紙幣等収納部４の開口を大きく開かせた状態を開口上方から見た平面図、図５は図４のＢ−Ｂ線に沿った断面図である。本実施形態の長財布１ａが第１の実施形態の長財布１と異なる点は、硬貨収納部７が長財布１ａの片側外皮側面体３と、袋の片側側面体１２との間に形成されている点である。即ち、硬貨収納部７の袋は、片側に長財布１ａの片側外皮側面体３を利用して形成されている。硬貨収納部７の内部は、第１の実施形態の場合と同様に２つの隔壁１０ａ、１０ｂを設けて３個の小硬貨収納部７ａ、７ｂ、７ｃに区分けされている。
【００２２】
（第３の実施形態）
図６は第３の実施形態に係る長財布１ｂのかぶせ蓋５を開け、長財布１ｂの紙幣等収納部４の開口を大きく開かせた状態を開口上方から見た平面図、図７は図６のＣ−Ｃ線に沿った断面図である。本実施形態の長財布１ｂが第１の実施形態の長財布１と異なる点は、硬貨収納部７の開口部にファスナー１５を取り付けている点である。その他の構成は第１の実施形態の長財布１と同じであり、ファスナー１５を取り付けた硬貨収納部７の内部は、隔壁１０ａ、１０ｂを設けて３個の小硬貨収納部７ａ、７ｂ、７ｃに区分けされている。
【００２３】
以上説明した３種類の長財布１、１ａ、１ｂの大きな特徴は、硬貨収納部７の内部を何れも３個の小硬貨収納部７ａ、７ｂ、７ｃに区分けし、小さい硬貨収納部を３個備える構造にしている点にある。このように３個の小硬貨収納部７ａ、７ｂ、７ｃが設けてあると、流通している６種類の硬貨を、例えば５００円硬貨と１００円硬貨は小硬貨収納部７ａに、５０円硬貨と１０円硬貨は小硬貨収納部７ｂに、５円硬貨と１円硬貨は小硬貨収納部７ｃにという具合に分類して収納しておくことができる。
【００２４】
このように硬貨を分類して収納しておくと「背景技術」でも説明したように、多額の支払いも硬貨でスムーズに行なうことができる。硬貨による支払いがスムーズに行なえないと、勢い、高額紙幣で支払いをしておつりを硬貨でもらうことになり財布が小銭硬貨で膨れ上がることになる。財布が小銭硬貨で膨れ上がると、益々、硬貨での支払いが面倒になるため高額紙幣での支払いが増え、そのおつりで財布が硬貨で更に膨れ上がる悪循環に陥る。３個の小硬貨収納部７ａ、７ｂ、７ｃを備えた本考案の長財布は、硬貨による支払いをスムーズに行なうことができるため、そうした悪循環を防止できる利点を有する。
【符号の説明】
【００２５】
図面中、１、１ａ、１ｂは長財布、２、３は外皮側面体、４は紙幣等収納部、５はかぶせ蓋、６はジャバラ壁、７は硬貨収納部、７ａ、７ｂ、７ｃは小硬貨収納部、８は札入れ、９はカード入れ、１０ａ、１０ｂは隔壁、１５はファスナーを示す。
【図１】
0003217416.tif 000003
【図２】
0003217416.tif 000004
【図３】
0003217416.tif 000005
【図４】
0003217416.tif 000006
【図５】
0003217416.tif 000007
【図６】
0003217416.tif 000008
【図７】
0003217416.tif 000009
【手続補正書】
【提出日】平成30年6月11日(2018.6.11)
【手続補正１】
【補正対象書類名】実用新案登録請求の範囲
【補正対象項目名】請求項３
【補正方法】変更
【補正の内容】
【請求項３】
請求項１又は２に記載の長財布において、前記硬貨収納部内の３個の小硬貨収納部は隣り合う小硬貨収納部間に隔壁を設けて形成され、該隔壁は布を用い、長財布を閉じた状態では高さの高い山折り又は谷折り状の形状になり、長財布を開いた状態では高さの低い山折り又は谷折り状に広がる形状になるように形成されていることを特徴とする長財布
【手続補正２】
【補正対象書類名】明細書
【補正対象項目名】００１１
【補正方法】変更
【補正の内容】
【００１１】
また、請求項３に記載の考案は、請求項１又は２に記載の長財布において、前記硬貨収納部内の３個の小硬貨収納部は隣り合う小硬貨収納部間に隔壁を設けて形成され、該隔壁は布を用い、長財布を閉じた状態では高さの高い山折り又は谷折り状の形状になり、長財布を開いた状態では高さの低い山折り又は谷折り状に広がる形状になるように形成されていることを特徴とする長財布である。